(57)【要約】  第１のコンテンツアイテム（X1）と第２のコンテンツアイテム（X2）とを混合するパラメータを決定する方法は、第１のコンテンツアイテム（X1）と第２のコンテンツアイテム（X2）との間の潜在的な混合点で音（55、57）の同時（59）発生を検出するステップと、潜在的な混合点での検出された音の同時発生に応じてパラメータを決定するステップ（61、63）とを有する。第１のコンテンツアイテム（X1）と第２のコンテンツアイテム（X2）とを混合する方法は、第１のコンテンツアイテム（X1）と第２のコンテンツアイテム（X2）との間の混合点をデータベースから取得するステップと、混合点で第１のコンテンツアイテム（X1）と第２のコンテンツアイテム（X2）とを混合するステップ（65）とを有する。本発明の電子装置及びコンピュータプログラムは、これらの方法の一方又は双方を実行するように動作可能である。
2009521008.tif 000002
【特許請求の範囲】
【請求項１】
第１のコンテンツアイテムと第２のコンテンツアイテムとを混合するパラメータを決定する電子装置であって：
前記第１のコンテンツアイテムと前記第２のコンテンツアイテムとの間の潜在的な混合点で音の同時発生を検出する検出手段であり、前記潜在的な混合点は、前記第１のコンテンツアイテムの第１の位置と前記第２のコンテンツアイテムの第２の位置とを有する検出手段と；
前記潜在的な混合点での前記検出された音の同時発生に応じて前記パラメータを決定する決定手段と；
を有する電子装置。
【請求項２】
前記決定手段は、前記潜在的な混合点での前記検出された音の同時発生に応じて推移プロファイルを選択し；
前記選択された推移プロファイルと前記潜在的な混合点とから前記パラメータを決定するように動作可能である、請求項１に記載の電子装置。
【請求項３】
前記決定手段は、前記潜在的な混合点での前記検出された音の同時発生に応じて前記潜在的な混合点と更なる混合点とのうち１つを選択し；
前記選択された混合点から前記パラメータを決定するように動作可能である、請求項１に記載の電子装置。
【請求項４】
第１のコンテンツアイテムと第２のコンテンツアイテムとを混合するパラメータを決定する方法であって：
前記第１のコンテンツアイテムと前記第２のコンテンツアイテムとの間の潜在的な混合点で音の同時発生を検出するステップであり、前記潜在的な混合点は、前記第１のコンテンツアイテムの第１の位置と前記第２のコンテンツアイテムの第２の位置とを有するステップと；
前記潜在的な混合点での前記検出された音の同時発生に応じて前記パラメータを決定するステップと；
を有する方法。
【請求項５】
第１のコンテンツアイテムと第２のコンテンツアイテムとの間の混合点をそれぞれ有する複数の関連付けであり、前記混合点は、前記第１のコンテンツアイテムの第１の位置と前記第２のコンテンツアイテムの第２の位置とを有する複数の関連付けを有するデータベース。
【請求項６】
前記混合点は、
潜在的な混合点で音の同時発生を検出するステップと；
前記潜在的な混合点での前記検出された音の同時発生に応じて前記潜在的な混合点と更なる混合点とのうち１つを選択するステップと；
を有する方法を用いて選択される、請求項５に記載のデータベース。
【請求項７】
少なくとも複数の前記関連付けは、前記混合点に関連する推移プロファイルを更に有する、請求項５に記載のデータベース。
【請求項８】
前記推移プロファイルは、
前記混合点で音の同時発生を検出するステップと；
前記混合点での前記検出された音の同時発生に応じて前記推移プロファイルを選択するステップと；
を有する方法を用いて選択される、請求項７に記載のデータベース。
【請求項９】
第１のコンテンツアイテムと第２のコンテンツアイテムとを混合する電子装置であって：
前記第１のコンテンツアイテムと前記第２のコンテンツアイテムとの間の混合点をデータベースから取得する取得手段であり、前記混合点は、前記第１のコンテンツアイテムの第１の位置と前記第２のコンテンツアイテムの第２の位置とを有する取得手段と；
前記混合点で前記第１のコンテンツアイテムと前記第２のコンテンツアイテムとを混合する混合手段と；
を有する電子装置。
【請求項１０】
前記混合点は、
潜在的な混合点で音の同時発生を検出するステップと；
前記潜在的な混合点での前記検出された音の同時発生に応じて前記潜在的な混合点と更なる混合点とのうち１つを選択するステップと；
を有する方法を用いて選択される、請求項９に記載の電子装置。
【請求項１１】
前記取得手段は、前記混合点に関連する推移プロファイルを取得するように更に動作可能である、請求項９に記載の電子装置。
【請求項１２】
前記取得手段は、前記第１のコンテンツアイテムと複数の更なるコンテンツアイテムのうち１つとの間にそれぞれある複数の混合点を取得し、前記複数の更なるコンテンツアイテムのうち１つを前記第２のコンテンツアイテムとして選択するように更に動作可能である、請求項９に記載の電子装置。
【請求項１３】
前記取得手段は、前記第１のコンテンツアイテムの現在位置と各混合点の第１の位置との間の類似点に応じて、前記複数の更なるコンテンツアイテムのうち１つを前記第２のコンテンツアイテムとして選択するように動作可能である、請求項１２に記載の電子装置。
【請求項１４】
第１のコンテンツアイテムと第２のコンテンツアイテムとを混合する方法であって：
前記第１のコンテンツアイテムと前記第２のコンテンツアイテムとの間の混合点をデータベースから取得するステップであり、前記混合点は、前記第１のコンテンツアイテムの第１の位置と前記第２のコンテンツアイテムの第２の位置とを有するステップと；
前記混合点で前記第１のコンテンツアイテムと前記第２のコンテンツアイテムとを混合するステップと；
を有する方法。
【請求項１５】
請求項１４又は請求項４に記載の方法をプログラム可能装置が実行するように動作可能にするコンピュータプログラム。
【発明の詳細な説明】
【技術分野】
【０００１】
本発明は、第１のコンテンツアイテムと第２のコンテンツアイテムとを混合するパラメータを決定する電子装置に関する。
【０００２】
本発明は、第１のコンテンツアイテムと第２のコンテンツアイテムとを混合するパラメータを決定する方法に更に関する。
【０００３】
本発明はまた、混合パラメータを有するデータベースに関する。
【０００４】
本発明は、第１のコンテンツアイテムと第２のコンテンツアイテムとを混合する電子装置に更に関する。
【０００５】
本発明はまた、第１のコンテンツアイテムと第２のコンテンツアイテムとを混合する方法に関する。
【０００６】
本発明は、第１のコンテンツアイテムと第２のコンテンツアイテムとを混合するパラメータを決定する方法及び／又は第１のコンテンツアイテムと第２のコンテンツアイテムとを混合する方法をプログラム可能装置が実行するように動作可能にするコンピュータプログラムに更に関する。
【背景技術】
【０００７】
このような方法の例は、US2003/183064A1から知られている。US2003/183064A1は、連続再生システム（自動音楽混合システムとも呼ばれる）を開示している。連続再生システムは、それぞれ前の曲の終了部分の特性に基づいて、それぞれ続いて生じる曲を選択するように構成される。曲の間の円滑な遷移を容易にするために、推移部が任意選択で提供される。推移部は、各曲の終了時に音量／音の大きさを減少させ（フェードアウト）、次の曲の開始時に音量／音の大きさを増加させる（フェードイン）ことにより、生成され得る。代替として、曲の終了部分と次の曲の開始部分とが抽出され、推移部は、抽出された部分の特定の特性を融合することにより、生成され得る。既知の自動音楽混合システムは、続いて生じる曲がほんの短時間より長く同時に再生される混合を生成するときに、必ずしもユーザが聞くのに心地良くないという欠点を有する。
【発明の開示】
【発明が解決しようとする課題】
【０００８】
第１のコンテンツアイテムと第２のコンテンツアイテムとを混合するパラメータを決定し、ユーザが聞くのにしばしばあまり心地悪くない混合が生成され得るように混合パラメータを決定することができる電子装置を提供することが本発明の第１の目的である。
【０００９】
第１のコンテンツアイテムと第２のコンテンツアイテムとを混合するパラメータを決定し、ユーザが聞くのにしばしばあまり心地悪くない混合が生成され得るように混合パラメータを決定する方法を提供することが本発明の第２の目的である。
【００１０】
第１のコンテンツアイテムと第２のコンテンツアイテムとを混合し、ユーザが聞くのにしばしばあまり心地悪くない混合を生成することができる電子装置を提供することが本発明の第３の目的である。
【００１１】
本発明はまた、第１のコンテンツアイテムと第２のコンテンツアイテムとを混合し、ユーザが聞くのにしばしばあまり心地悪くない混合を生成する方法を提供することが本発明の第４の目的である。
【００１２】
本発明は、第１のコンテンツアイテムと第２のコンテンツアイテムとを混合するパラメータを決定する方法及び／又は第１のコンテンツアイテムと第２のコンテンツアイテムとを混合する方法をプログラム可能装置が実行するように動作可能にするコンピュータプログラムに更に関する。
【課題を解決するための手段】
【００１３】
本発明によれば、第１の目的は、電子装置が、第１のコンテンツアイテムと第２のコンテンツアイテムとの間の潜在的な混合点（mixing  point）で音の同時発生を検出する検出手段であり、潜在的な混合点は、第１のコンテンツアイテムの第１の位置と第２のコンテンツアイテムの第２の位置とを有する検出手段と、潜在的な混合点での検出された音の同時発生に応じてパラメータを決定する決定手段とを有することで実現される。
【００１４】
音の衝突は、特に混合／推移の間隔が比較的大きいときに、混合の品質にかなり影響を及ぼすアーチファクト（artifact）を生成することがわかっている。潜在的な音の衝突が発生するか否かを決定し、このような衝突が最小化されるように推移を適切に制御するために、オーディオ分類／区分技術が使用される。潜在的な混合点は、例えば第１のコンテンツアイテムのアウトロと第２のコンテンツアイテムのイントロとで整列した強調ビート音（aligned  accented  beat）を検索することにより、見つかり得る。
【００１５】
電子装置の実施例では、決定手段は、潜在的な混合点での検出された音の同時発生に応じて推移プロファイルを選択し、選択された推移プロファイルと潜在的な混合点とからパラメータを決定するように動作可能である。遷移プロファイルは、例えば短いフェードイン／フェードアウトが使用されるべきか、通常のフェードイン／フェードアウトが使用されるべきかを有してもよい。
【００１６】
決定手段は、潜在的な混合点での検出された音の同時発生に応じて潜在的な混合点と更なる混合点とのうち１つを選択し、選択された混合点からパラメータを決定するように動作可能でもよい。複数の潜在的な混合点が存在する場合、音の衝突のないものが使用されることが好ましい。音の衝突のない潜在的な混合点が存在しない場合、適切な推移プロファイル（例えば、短いフェードイン／フェードアウト）が選択されることが好ましい。
【００１７】
本発明によれば、第２の目的は、方法が、第１のコンテンツアイテムと第２のコンテンツアイテムとの間の潜在的な混合点で音の同時発生を検出するステップであり、潜在的な混合点は、第１のコンテンツアイテムの第１の位置と第２のコンテンツアイテムの第２の位置とを有するステップと、潜在的な混合点での検出された音の同時発生に応じてパラメータを決定するステップとを有することで実現される。この方法は、例えばコンピュータプログラム又は（例えば混合点のデータベースを提供する）サービスプロバイダにより実行されてもよい。
【００１８】
方法の実施例では、決定するステップは、潜在的な混合点での検出された音の同時発生に応じて推移プロファイルを選択し、選択された推移プロファイルと潜在的な混合点とからパラメータを決定することを有する。
【００１９】
決定するステップは、潜在的な混合点での検出された音の同時発生に応じて潜在的な混合点と更なる混合点とのうち１つを選択し、選択された混合点からパラメータを決定することを有してもよい。
【００２０】
本発明の更なる態様では、データベースは、第１のコンテンツアイテムと第２のコンテンツアイテムとの間の混合点をそれぞれ有する複数の関連付け（association）であり、混合点は、第１のコンテンツアイテムの第１の位置と第２のコンテンツアイテムの第２の位置とを有する複数の関連付けを有する。リアルタイムで混合点を決定する処理の複雑性を回避するために、コンテンツアイテムの間の混合点は、データベースに格納されてもよい。コンテンツアイテム自体もまた、データベースの一部でもよい。
【００２１】
データベースの実施例では、混合点は、潜在的な混合点で音の同時発生を検出するステップと、潜在的な混合点での検出された音の同時発生に応じて潜在的な混合点と更なる混合点とのうち１つを選択するステップとを有する方法を用いて選択される。
【００２２】
少なくとも複数の関連付けは、混合点に関連する推移プロファイルを更に有してもよい。
【００２３】
推移プロファイルは、混合点で音の同時発生を検出するステップと、混合点での検出された音の同時発生に応じて推移プロファイルを選択するステップとを有する方法を用いて選択されてもよい。
【００２４】
本発明によれば、第３の目的は、電子装置が、第１のコンテンツアイテムと第２のコンテンツアイテムとの間の混合点をデータベースから取得する取得手段であり、混合点は、第１のコンテンツアイテムの第１の位置と第２のコンテンツアイテムの第２の位置とを有する取得手段と、混合点で第１のコンテンツアイテムと第２のコンテンツアイテムとを混合する混合手段とを有することで実現される。例えば、電子装置は、移動音楽プレイヤ又はネットワークに接続されたテレビのようなリソース制約のある装置でもよい。
【００２５】
電子装置の実施例では、混合点は、潜在的な混合点で音の同時発生を検出するステップと、潜在的な混合点での検出された音の同時発生に応じて潜在的な混合点と更なる混合点とのうち１つを選択するステップとを有する方法を用いて選択される。
【００２６】
取得手段は、混合点に関連する推移プロファイルを取得するように更に動作可能でもよい。
【００２７】
取得手段は、第１のコンテンツアイテムと複数の更なるコンテンツアイテムのうち１つとの間にそれぞれある複数の混合点を取得し、複数の更なるコンテンツアイテムのうち１つを第２のコンテンツアイテムとして選択するように更に動作可能でもよい。コンテンツアイテムの集合で利用可能な全てのコンテンツアイテムが所望の品質で（例えば、アーチファクトのない通常のフェードイン／フェードアウトで）混合されなくてもよい。第１のコンテンツアイテムが特定の混合点で所望の品質で第２のコンテンツアイテムと混合され得る場合、この特定の混合点及び２つのコンテンツアイテムへの参照がデータベースに格納されてもよい。第２の（次の）コンテンツアイテムが選択される必要がある場合、第２のコンテンツアイテムの選択は、所望の品質で第１のコンテンツアイテムと混合され得る集合からのコンテンツアイテムのみに制限される。
【００２８】
取得手段は、第１のコンテンツアイテムの現在位置と各混合点の第１の位置との間の類似点に応じて、複数の更なるコンテンツアイテムのうち１つを第２のコンテンツアイテムとして選択するように動作可能でもよい。従って、第２のコンテンツアイテムの選択は、第１のコンテンツアイテムの現在位置で又は現在位置の近くで混合され得る更なるコンテンツアイテムのみに制限されてもよい。曲の‘中身（meat）’で適切な混合点を見つけることは困難であるが、この実施例は、ユーザが‘曲をスキップする’ボタンを押下したときに有用である。
【００２９】
本発明によれば、第４の目的は、方法が、第１のコンテンツアイテムと第２のコンテンツアイテムとの間の混合点をデータベースから取得するステップであり、混合点は、第１のコンテンツアイテムの第１の位置と第２のコンテンツアイテムの第２の位置とを有するステップと、混合点で第１のコンテンツアイテムと第２のコンテンツアイテムとを混合するステップとを有することで実現される。
【００３０】
方法の実施例では、混合点は、潜在的な混合点で音の同時発生を検出するステップと、潜在的な混合点での検出された音の同時発生に応じて潜在的な混合点と更なる混合点とのうち１つを選択するステップとを有する方法を用いて選択される。
【００３１】
方法は、混合点に関連する推移プロファイルを取得するステップに更に有してもよい。
【００３２】
取得するステップは、第１のコンテンツアイテムと複数の更なるコンテンツアイテムのうち１つとの間にそれぞれある複数の混合点を取得するステップと、複数の更なるコンテンツアイテムのうち１つを第２のコンテンツアイテムとして選択するステップとを更に有してもよい。
【００３３】
選択するステップは、第１のコンテンツアイテムの現在位置と各混合点の第１の位置との間の類似点に応じて、複数の更なるコンテンツアイテムのうち１つを第２のコンテンツアイテムとして選択することを有してもよい。
【発明を実施するための最良の形態】
【００３４】
本発明の前記及び他の態様は、添付図面を参照して明らかになり、添付図面を参照して一例として更に説明される。
【００３５】
図面において対応する要素は同じ参照符号により示される。
【００３６】
第１のコンテンツアイテムと第２のコンテンツアイテムとを混合するパラメータを決定する方法は、少なくとも２つのステップを有する（図１参照）。ステップ1は、第１のコンテンツアイテムと第２のコンテンツアイテムとの間の潜在的な混合点で音の同時発生を検出することを有する。潜在的な混合点は、第１のコンテンツアイテムの第１の位置と第２のコンテンツアイテムの第２の位置とを有する。ステップ3は、潜在的な混合点での検出された音の同時発生に応じてパラメータを決定することを有する。音の同時発生は、例えばTin  Lay  New及びYe  Wangの‘Automatic  detection  of  vocal  segments  in  popular  songs’(ISMIR  2004  Conference  Proceedings,  10-14  October  2004,  Barcelona,  Spainに示唆される方法を使用することにより検出されてもよい。
【００３７】
ステップ3は、潜在的な混合点での検出された音の同時発生に応じて推移プロファイルを選択するステップ6と、選択された推移プロファイルと潜在的な混合点とからパラメータを決定するステップ7とを有してもよい。
【００３８】
代替として又は更に、ステップ3は、潜在的な混合点での検出された音の同時発生に応じて潜在的な混合点と更なる混合点とのうち１つを選択するステップ8と、選択された混合点からパラメータを決定するステップ9とを有してもよい。
【００３９】
図１の方法は、決定されたパラメータを使用して、第１のコンテンツアイテムと第２のコンテンツアイテムとを混合するステップ5を更に有してもよい。
【００４０】
第１のコンテンツアイテムと第２のコンテンツアイテムとを混合する方法は、少なくとも２つのステップを有する（図２参照）。ステップ11は、第１のコンテンツアイテムと第２のコンテンツアイテムとの間の混合点をデータベースから取得することを有する。混合点は、第１のコンテンツアイテムの第１の位置と第２のコンテンツアイテムの第２の位置とを有する。ステップ15は、混合点で第１のコンテンツアイテムと第２のコンテンツアイテムとを混合することを有する。
【００４１】
混合方法は、混合点に関連する推移プロファイルを取得するステップ13を更に有してもよい。
【００４２】
ステップ11は、第１のコンテンツアイテムと複数の更なるコンテンツアイテムのうち１つとの間にそれぞれある複数の混合点を取得するステップ17と、複数の更なるコンテンツアイテムのうち１つを第２のコンテンツアイテムとして選択するステップ19とを更に有してもよい。
【００４３】
ステップ19は、第１のコンテンツアイテムの現在位置と各混合点の第１の位置との間の類似点に応じて、複数の更なるコンテンツアイテムのうち１つを第２のコンテンツアイテムとして選択することを有してもよい。
【００４４】
図３は、本発明の方法を実行する電子装置31を示している。この実施例では、電子装置31は、電子回路33と、記憶手段35と、再生手段37と、入力39と、出力41とを有する。電子装置31は、PC又は他の静止型オーディオ及び／又はビデオプレイヤでもよく、携帯用オーディオ及び／又はビデオプレイヤでもよい。電子装置31は、ローカル又は（例えば音楽を販売する）遠隔の音楽サーバでもよい。電子回路33は、汎用プロセッサ又は特定用途向けプロセッサでもよい。電子回路33は、コンピュータプログラムを実行可能でもよい。電子回路は、ソフトウェア及び／又はハードウェアで、検出手段、決定手段、取得手段及び／又は混合手段を有してもよい。
【００４５】
例えば、記憶手段35は、ハードディスク、固体メモリ、光ディスクリーダ又はホログラフィック記憶手段を有してもよい。記憶手段35はデータベースを有してもよく、データベースは複数の関連付けを有し、複数の関連付けのそれぞれは、第１のコンテンツアイテムと第２のコンテンツアイテムとの間の混合点を有し、混合点は、第１のコンテンツアイテムの第１の位置と第２のコンテンツアイテムの第２の位置とを有する。代替として、このデータベースは、電子装置の外部に（例えば（異なる）サーバに）格納されてもよい。再生手段37は、例えばスピーカを有してもよい。
【００４６】
例えば、入力39及び出力41は、ネットワークコネクタ（例えば、USBコネクタ又はEthernet（登録商標）コネクタ）、アナログオーディオ及び／又はビデオコネクタ（シンチコネクタ又はSCARTコネクタ等）、又はデジタルオーディオ及び／又はビデオコネクタ（HDMI又はSPDIFコネクタ等）を有してもよい。入力39及び出力41は、無線受信機及び／又は送信機を有してもよい。記憶手段35、再生手段37、入力39及び／又は出力41は、所望の機能に応じて提供される。
【００４７】
図４は、第１のコンテンツアイテムX1と第２のコンテンツアイテムX2と（例えば、２つの曲又は音楽ビデオクリップ）を混合するパラメータを決定する方法の実施例を示している。コンテンツアイテムX1は、スプリッタ51において、ミキサ65用の信号と、音検出器55用の信号とに分離される。コンテンツアイテムX2は、スプリッタ53において、ミキサ65用の信号と、音検出器57用の信号とに分離される。コンテンツアイテムX1及びX2の潜在的な混合点での音成分の存在は、音検出器55及び57で決定される。音の衝突の存在は、衝突検出器59で決定される。音が双方の音検出器で検出されたときに、音の衝突が発生すると考えられる。音の衝突が発生したときに、混合パラメータAがセレクタ61で選択される。音の衝突が発生しない場合、混合パラメータBがセレクタ63で選択される。選択されたパラメータは、コンテンツアイテムX1及びX2を混合するためにミキサ65で使用される。例えば、混合パラメータAは、短いフェードイン／フェードアウトを有する推移プロファイルでもよい。例えば、混合パラメータBは、通常のフェードイン／フェードアウトを有する推移プロファイルでもよい。他の例として、セレクタ61は、混合パラメータとして潜在的な混合点を選択してもよく、セレクタ63は、混合パラメータとして更なる混合点を選択してもよい。後者の場合、セレクタ63は、更なる混合点が検索されること（混合が格納されたコンテンツで実行される場合）又は待機されること（混合がリアルタイムに実行される場合）を単に示してもよい。双方の手法が組み合わされてもよい。すなわち、音の衝突のない更なる混合点が見つからない場合、短いフェードイン／フェードアウトが選択されてもよい。そうでない場合、通常のフェードイン／フェードアウトが選択されてもよい。フェードイン及びフェードアウトの代わりに又はこれに加えて、他の混合方法が使用されてもよい（例えば、ビート混合（beat-mixing））。
【００４８】
好ましい実施例に関して本発明を説明したが、前述の原理内で変更が当業者に明らかになり、従って、本発明は好ましい実施例に限定されず、このような変更を含むことを意図することがわかる。本発明は、ありとあらゆる新規な特徴及びありとあらゆる特徴の組み合わせとにある。請求項の参照符号は、これらの保護範囲を限定しない。“有する”という動詞及びその活用形の使用は、請求項に記載のもの以外の要素又はステップの存在を除外しない。単数の要素又はステップの使用は、このような要素又はステップの複数の存在を除外しない。
【００４９】
当業者にわかるように、‘手段’は、単独であれ、他の機能と共にであれ、分離してであれ、他の要素と協調してであれ、指定の機能を実行するように動作する又は指定の機能を実行するように設計された何らかのハードウェア（個別の又は統合された回路又は電子要素等）又はソフトウェア（プログラム又はプログラムの一部等）を含むことを意図する。本発明は、複数の別個の要素を有するハードウェアを用いて、及び適切にプログラムされたコンピュータを用いて実施され得る。複数の手段を列挙した装置の請求項において、これらの手段の複数は、ハードウェアの同一のアイテムに具現されてもよい。‘コンピュータプログラム’は、コンピュータ可読媒体（フロッピー（登録商標）ディスク等）に格納された何らかのソフトウェアプロダクト、ネットワーク（インターネット等）を介してダウンロード可能な何らかのソフトウェアプロダクト、又は他の方法で取引される何らかのソフトウェアプロダクトを意味することがわかる。
【図面の簡単な説明】
【００５０】
【図１】混合パラメータを決定する方法のフローチャート
【図２】混合方法のフローチャート
【図３】本発明の方法を実行する電子装置のブロック図
【図４】混合パラメータを決定する方法の実施例のフローチャート
【図１】
2009521008.tif 000003
【図２】
2009521008.tif 000004
【図３】
2009521008.tif 000005
【図４】
2009521008.tif 000006
【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
第１のコンテンツアイテムと第２のコンテンツアイテムとを混合するときに音の衝突を回避する電子装置であって：
前記第１のコンテンツアイテムと前記第２のコンテンツアイテムとの間の潜在的な混合間隔で音の同時発生を検出する検出手段であり、前記潜在的な混合間隔は、前記第１のコンテンツアイテムの第１の位置と前記第２のコンテンツアイテムの第２の位置とを有する検出手段と；
前記第１のコンテンツアイテムと前記第２のコンテンツアイテムとの間の少なくとも２つの潜在的な混合間隔を取得し、それぞれの潜在的な混合間隔は、前記第１のコンテンツアイテムの第１の位置と前記第２のコンテンツアイテムの第２の位置とを有し、音の衝突を回避するために前記潜在的な混合間隔の中から混合間隔が選択されるように動作可能である決定手段であり、
前記潜在的な混合間隔での前記検出された音の同時発生に応じて、潜在的な混合間隔と更なる潜在的な混合間隔とのうちの１つを前記混合間隔として選択するように動作可能である決定手段と；
を有する電子装置。
【請求項２】
前記決定手段は、前記潜在的な混合間隔での前記検出された音の同時発生に応じて、潜在的な混合間隔に適用される推移プロファイルを選択するように動作可能である、請求項１に記載の電子装置。
【請求項３】
前記決定手段は、音の同時発生のない少なくとも潜在的な混合間隔が存在するときに、音の同時発生のない潜在的な混合間隔を前記混合間隔として選択するように動作可能である、請求項１に記載の電子装置。
【請求項４】
第１のコンテンツアイテムと第２のコンテンツアイテムとを混合するときに音の衝突を回避する方法であって：
前記第１のコンテンツアイテムと前記第２のコンテンツアイテムとの間の少なくとも２つの潜在的な混合間隔を取得するステップであり、それぞれの潜在的な混合間隔は、前記第１のコンテンツアイテムの第１の位置と前記第２のコンテンツアイテムの第２の位置とを有するステップと；
前記第１のコンテンツアイテムと前記第２のコンテンツアイテムとの間の潜在的な混合間隔で音の同時発生を検出するステップであり、前記潜在的な混合間隔は、前記第１のコンテンツアイテムの第１の位置と前記第２のコンテンツアイテムの第２の位置とを有するステップと；
前記潜在的な混合間隔での前記検出された音の同時発生に応じて、潜在的な混合間隔と更なる潜在的な混合間隔とのうちの１つを前記混合間隔として選択するステップと；
を有する方法。
【請求項５】
前記潜在的な混合間隔を前記混合間隔として選択するステップは、音の同時発生のない少なくとも潜在的な混合間隔が存在するときに、音の同時発生のない潜在的な混合間隔を前記混合間隔として選択することを有する、第１のコンテンツアイテムと第２のコンテンツアイテムとを混合するときに音の衝突を回避する請求項４に記載の方法。
【請求項６】
音の同時発生のない潜在的な混合間隔が存在しないときに、適切な推移プロファイルを選択するステップを更に有する、第１のコンテンツアイテムと第２のコンテンツアイテムとを混合するときに音の衝突を回避する請求項４に記載の方法。
【請求項７】
前記潜在的な混合間隔は、前記第１のコンテンツアイテムのアウトロと前記第２のコンテンツアイテムのイントロとで強調ビート音を検索することにより取得される、第１のコンテンツアイテムと第２のコンテンツアイテムとを混合するときに音の衝突を回避する請求項４に記載の方法。
【請求項８】
第１のコンテンツアイテムと第２のコンテンツアイテムとの間の前記選択された混合間隔をデータベースに格納するステップを更に有する、第１のコンテンツアイテムと第２のコンテンツアイテムとを混合するときに音の衝突を回避する請求項５又は６に記載の方法。
【請求項９】
第１のコンテンツアイテムと第２のコンテンツアイテムとの間の混合間隔をそれぞれ有する複数の関連付けであり、前記混合間隔は、前記第１のコンテンツアイテムと前記第２のコンテンツアイテムとを混合するときに音の衝突を回避するために選択され、前記第１のコンテンツアイテムの第１の位置と前記第２のコンテンツアイテムの第２の位置とを有する複数の関連付けを有するデータベース。
【請求項１０】
前記混合間隔は、
潜在的な混合間隔で音の同時発生を検出するステップと；
前記潜在的な混合間隔での前記検出された音の同時発生に応じて前記潜在的な混合間隔と更なる潜在的な混合間隔とのうち１つを選択するステップと；
を有する方法を用いて選択される、請求項９に記載のデータベース。
【請求項１１】
少なくとも複数の前記関連付けは、前記混合間隔に関連する推移プロファイルを更に有する、請求項９に記載のデータベース。
【請求項１２】
前記推移プロファイルは、
前記混合間隔で音の同時発生を検出するステップと；
前記混合間隔での前記検出された音の同時発生に応じて前記推移プロファイルを選択するステップと；
を有する方法を用いて選択される、請求項１１に記載のデータベース。
【請求項１３】
音の衝突を回避して第１のコンテンツアイテムと第２のコンテンツアイテムとを混合する方法であって：
前記第１のコンテンツアイテムと前記第２のコンテンツアイテムとの間の混合間隔を請求項９に記載のデータベースから取得するステップであり、前記混合間隔は、前記第１のコンテンツアイテムと前記第２のコンテンツアイテムとを混合するときに音の衝突を回避し、前記第１のコンテンツアイテムの第１の位置と前記第２のコンテンツアイテムの第２の位置とを有するステップと；
前記混合間隔で前記第１のコンテンツアイテムと前記第２のコンテンツアイテムとを混合するステップと；
を有する方法。
【請求項１４】
請求項１３又は請求項４に記載の方法をプログラム可能装置が実行するように動作可能にするコンピュータプログラム。
【手続補正３】
【補正対象書類名】明細書
【補正対象項目名】０００１
【補正方法】変更
【補正の内容】
【０００１】
本発明は、第１のコンテンツアイテムと第２のコンテンツアイテムとを混合するときに音の衝突を回避する電子装置に関する。
【手続補正４】
【補正対象書類名】明細書
【補正対象項目名】０００２
【補正方法】変更
【補正の内容】
【０００２】
本発明は、第１のコンテンツアイテムと第２のコンテンツアイテムとを混合するときに音の衝突を回避する方法に更に関する。
【手続補正５】
【補正対象書類名】明細書
【補正対象項目名】０００４
【補正方法】削除
【補正の内容】
【手続補正６】
【補正対象書類名】明細書
【補正対象項目名】０００５
【補正方法】変更
【補正の内容】
【０００５】
本発明はまた、音の衝突を回避して第１のコンテンツアイテムと第２のコンテンツアイテムとを混合する方法に関する。
【手続補正７】
【補正対象書類名】明細書
【補正対象項目名】０００６
【補正方法】変更
【補正の内容】
【０００６】
本発明は、第１のコンテンツアイテムと第２のコンテンツアイテムとを混合するときに音の衝突を回避する方法及び／又は音の衝突を回避して第１のコンテンツアイテムと第２のコンテンツアイテムとを混合する方法をプログラム可能装置が実行するように動作可能にするコンピュータプログラムに更に関する。
【手続補正８】
【補正対象書類名】明細書
【補正対象項目名】０００８
【補正方法】変更
【補正の内容】
【０００８】
第１のコンテンツアイテムと第２のコンテンツアイテムとを混合するときに音の衝突を回避し、ユーザが聞くのにしばしばあまり心地悪くない混合が生成され得るように混合パラメータを決定することができる電子装置を提供することが本発明の第１の目的である。
【手続補正９】
【補正対象書類名】明細書
【補正対象項目名】０００９
【補正方法】変更
【補正の内容】
【０００９】
第１のコンテンツアイテムと第２のコンテンツアイテムとを混合するときに音の衝突を回避し、ユーザが聞くのにしばしばあまり心地悪くない混合が生成され得るように混合パラメータを決定する方法を提供することが本発明の第２の目的である。
【手続補正１０】
【補正対象書類名】明細書
【補正対象項目名】００１０
【補正方法】変更
【補正の内容】
【００１０】
第１のコンテンツアイテムと第２のコンテンツアイテムとの間の混合間隔をそれぞれ有する複数の関連付けであり、混合間隔は、第１のコンテンツアイテムと第２のコンテンツアイテムとを混合するときに音の衝突を回避するために選択され、第１のコンテンツアイテムの第１の位置と第２のコンテンツアイテムの第２の位置とを有する複数の関連付けを有するデータベースを提供することが本発明の第３の目的である。
【手続補正１１】
【補正対象書類名】明細書
【補正対象項目名】００１１
【補正方法】変更
【補正の内容】
【００１１】
本発明はまた、音の衝突を回避して第１のコンテンツアイテムと第２のコンテンツアイテムとを混合し、ユーザが聞くのにしばしばあまり心地悪くない混合を生成する方法を提供することが本発明の第４の目的である。
【手続補正１２】
【補正対象書類名】明細書
【補正対象項目名】００１３
【補正方法】変更
【補正の内容】
【００１３】
本発明によれば、第１の目的は、電子装置が、第１のコンテンツアイテムと第２のコンテンツアイテムとの間の潜在的な混合間隔（mixing  interval）で音の同時発生を検出する検出手段であり、潜在的な混合間隔は、第１のコンテンツアイテムの第１の位置と第２のコンテンツアイテムの第２の位置とを有する検出手段と、第１のコンテンツアイテムと第２のコンテンツアイテムとの間の少なくとも２つの潜在的な混合間隔を取得するように動作可能である決定手段であり、潜在的な混合間隔での検出された音の同時発生に応じて、潜在的な混合間隔と更なる潜在的な混合間隔とのうちの１つを混合間隔として選択するように動作可能である決定手段とを有することで実現される。
【手続補正１３】
【補正対象書類名】明細書
【補正対象項目名】００１４
【補正方法】変更
【補正の内容】
【００１４】
音の衝突は、特に混合／推移の間隔が比較的大きいときに、混合の品質にかなり影響を及ぼすアーチファクト（artifact）を生成することがわかっている。潜在的な音の衝突が発生するか否かを決定し、このような衝突が最小化されるように推移を適切に制御するために、オーディオ分類／区分技術が使用される。複数の混合間隔が存在する場合、音の衝突のないものが使用されることが好ましい。音の衝突のない潜在的な混合間隔が存在しない場合、適切な推移プロファイル（例えば、短いフェードイン／アウト）が選択されることが好ましい。潜在的な混合間隔は、例えば第１のコンテンツアイテムのアウトロと第２のコンテンツアイテムのイントロとで整列した強調ビート音（aligned  accented  beat）を検索することにより、見つかり得る。
【手続補正１４】
【補正対象書類名】明細書
【補正対象項目名】００１５
【補正方法】変更
【補正の内容】
【００１５】
電子装置の実施例では、決定手段は、潜在的な混合間隔での検出された音の同時発生に応じて、潜在的な混合間隔に適用される推移プロファイルを選択するように動作可能である。遷移プロファイルは、例えば短いフェードイン／フェードアウトが使用されるべきか、通常のフェードイン／フェードアウトが使用されるべきかを有してもよい。
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】変更
【補正の内容】
【００１７】
本発明によれば、第２の目的は、方法が、第１のコンテンツアイテムと第２のコンテンツアイテムとの間の少なくとも２つの潜在的な混合間隔を取得するステップであり、それぞれの潜在的な混合間隔は、第１のコンテンツアイテムの第１の位置と第２のコンテンツアイテムの第２の位置とを有するステップと、第１のコンテンツアイテムと第２のコンテンツアイテムとの間の潜在的な混合間隔で音の同時発生を検出するステップと、潜在的な混合間隔での検出された音の同時発生に応じて、潜在的な混合間隔と更なる潜在的な混合間隔とのうちの１つを混合間隔として選択するステップとを有することで実現される。この方法は、例えばコンピュータプログラム又は（例えば混合間隔のデータベースを提供する）サービスプロバイダにより実行されてもよい。
【手続補正１７】
【補正対象書類名】明細書
【補正対象項目名】００１８
【補正方法】変更
【補正の内容】
【００１８】
方法の実施例では、決定するステップは、潜在的な混合間隔での検出された音の同時発生に応じて、潜在的な混合間隔で適用される推移プロファイルを選択することを有する。
【手続補正１８】
【補正対象書類名】明細書
【補正対象項目名】００１９
【補正方法】変更
【補正の内容】
【００１９】
本発明の音の衝突を回避する方法は、第１のコンテンツアイテムと第２のコンテンツアイテムとの間の混合間隔をデータベースに格納するステップを更に有してもよい。
【手続補正１９】
【補正対象書類名】明細書
【補正対象項目名】００２０
【補正方法】変更
【補正の内容】
【００２０】
本発明の更なる態様では、データベースは、第１のコンテンツアイテムと第２のコンテンツアイテムとの間の混合間隔をそれぞれ有する複数の関連付け（association）であり、混合間隔は、第１のコンテンツアイテムと第２のコンテンツアイテムとを混合するときに音の衝突を回避するために選択され、第１のコンテンツアイテムの第１の位置と第２のコンテンツアイテムの第２の位置とを有する複数の関連付けを有する。リアルタイムで混合間隔を決定する処理の複雑性を回避するために、コンテンツアイテムの間の混合間隔は、データベースに格納されてもよい。コンテンツアイテム自体もまた、データベースの一部でもよい。
【手続補正２０】
【補正対象書類名】明細書
【補正対象項目名】００２１
【補正方法】変更
【補正の内容】
【００２１】
データベースの実施例では、混合間隔は、潜在的な混合間隔で音の同時発生を検出するステップと、潜在的な混合間隔での検出された音の同時発生に応じて潜在的な混合間隔と更なる混合間隔とのうち１つを選択するステップとを有する方法を用いて選択される。
【手続補正２１】
【補正対象書類名】明細書
【補正対象項目名】００２２
【補正方法】変更
【補正の内容】
【００２２】
少なくとも複数の関連付けは、混合間隔に関連する推移プロファイルを更に有してもよい。
【手続補正２２】
【補正対象書類名】明細書
【補正対象項目名】００２３
【補正方法】変更
【補正の内容】
【００２３】
推移プロファイルは、混合間隔で音の同時発生を検出するステップと、混合間隔での検出された音の同時発生に応じて推移プロファイルを選択するステップとを有する方法を用いて選択されてもよい。
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】変更
【補正の内容】
【００２９】
本発明によれば、第３の目的は、第１のコンテンツアイテムと第２のコンテンツアイテムとを混合する方法が、第１のコンテンツアイテムと第２のコンテンツアイテムとの間の混合間隔をデータベースから取得するステップであり、混合間隔は、第１のコンテンツアイテムと第２のコンテンツアイテムとを混合するときに音の衝突を回避し、第１のコンテンツアイテムの第１の位置と第２のコンテンツアイテムの第２の位置とを有するステップと、混合間隔で第１のコンテンツアイテムと第２のコンテンツアイテムとを混合するステップとを有することで実現される。
【手続補正２９】
【補正対象書類名】明細書
【補正対象項目名】００３０
【補正方法】変更
【補正の内容】
【００３０】
方法の実施例では、混合間隔は、潜在的な混合間隔で音の同時発生を検出するステップと、潜在的な混合間隔での検出された音の同時発生に応じて潜在的な混合間隔と更なる混合間隔とのうち１つを選択するステップとを有する方法を用いて選択される。
【手続補正３０】
【補正対象書類名】明細書
【補正対象項目名】００３１
【補正方法】変更
【補正の内容】
【００３１】
方法は、混合間隔に関連する推移プロファイルを取得するステップに更に有してもよい。
【手続補正３１】
【補正対象書類名】明細書
【補正対象項目名】００３２
【補正方法】変更
【補正の内容】
【００３２】
混合間隔を取得するステップは、第１のコンテンツアイテムと複数の更なるコンテンツアイテムのうち１つとの間にそれぞれある複数の混合間隔を取得するステップと、複数の更なるコンテンツアイテムのうち１つを第２のコンテンツアイテムとして選択するステップとを更に有してもよい。
【手続補正３２】
【補正対象書類名】明細書
【補正対象項目名】００３３
【補正方法】変更
【補正の内容】
【００３３】
選択するステップは、第１のコンテンツアイテムの現在位置と各混合間隔の第１の位置との間の類似点に応じて、複数の更なるコンテンツアイテムのうち１つを第２のコンテンツアイテムとして選択することを有してもよい。
第１のコンテンツアイテムと第２のコンテンツアイテムとを混合する方法を実行するのに適した電子装置は、第１のコンテンツアイテムと第２のコンテンツアイテムとの間の混合間隔をデータベースから取得する取得手段であり、混合間隔は、第１のコンテンツアイテムの第１の位置と第２のコンテンツアイテムの第２の位置とを有する取得手段と、混合間隔で第１のコンテンツアイテムと第２のコンテンツアイテムとを混合する混合手段とを有する。例えば、電子装置は、移動音楽プレイヤ又はネットワークに接続されたテレビのようなリソース制約のある装置でもよい。
電子装置の実施例では、混合間隔は、潜在的な混合間隔で音の同時発生を検出するステップと、潜在的な混合間隔での検出された音の同時発生に応じて潜在的な混合間隔と更なる混合間隔とのうち１つを選択するステップとを有する方法を用いて選択される。
取得手段は、混合間隔に関連する推移プロファイルを取得するように更に動作可能でもよい。
取得手段は、第１のコンテンツアイテムと複数の更なるコンテンツアイテムのうち１つとの間にそれぞれある複数の混合間隔を取得し、複数の更なるコンテンツアイテムのうち１つを第２のコンテンツアイテムとして選択するように更に動作可能でもよい。コンテンツアイテムの集合で利用可能な全てのコンテンツアイテムが所望の品質で（例えば、アーチファクトのない通常のフェードイン／フェードアウトで）混合されなくてもよい。第１のコンテンツアイテムが特定の混合間隔で所望の品質で第２のコンテンツアイテムと混合され得る場合、この特定の混合間隔及び２つのコンテンツアイテムへの参照がデータベースに格納されてもよい。第２の（次の）コンテンツアイテムが選択される必要がある場合、第２のコンテンツアイテムの選択は、所望の品質で第１のコンテンツアイテムと混合され得る集合からのコンテンツアイテムのみに制限される。
取得手段は、第１のコンテンツアイテムの現在位置と各混合間隔の第１の位置との間の類似点に応じて、複数の更なるコンテンツアイテムのうち１つを第２のコンテンツアイテムとして選択するように動作可能でもよい。従って、第２のコンテンツアイテムの選択は、第１のコンテンツアイテムの現在位置で又は現在位置の近くで混合され得る更なるコンテンツアイテムのみに制限されてもよい。曲の‘中身（meat）’で適切な混合間隔を見つけることは困難であるが、この実施例は、ユーザが‘曲をスキップする’ボタンを押下したときに有用である。
【手続補正３３】
【補正対象書類名】明細書
【補正対象項目名】００３６
【補正方法】変更
【補正の内容】
【００３６】
第１のコンテンツアイテムと第２のコンテンツアイテムとを混合するときに衝突を回避する方法は、少なくとも２つのステップを有する（図１参照）。ステップ1は、第１のコンテンツアイテムと第２のコンテンツアイテムとの間の一式の取得された潜在的な混合間隔から潜在的な混合間隔で音の同時発生を検出することを有する。潜在的な混合間隔は、第１のコンテンツアイテムの第１の位置と第２のコンテンツアイテムの第２の位置とを有する。ステップ3は、潜在的な混合間隔での検出された音の同時発生に応じて混合パラメータを決定することを有する。音の同時発生は、例えばTin  Lay  New及びYe  Wangの‘Automatic  detection  of  vocal  segments  in  popular  songs’(ISMIR  2004  Conference  Proceedings,  10-14  October  2004,  Barcelona,  Spainに示唆される方法を使用することにより検出されてもよい。
【手続補正３４】
【補正対象書類名】明細書
【補正対象項目名】００３７
【補正方法】変更
【補正の内容】
【００３７】
ステップ3は、潜在的な混合間隔での検出された音の同時発生に応じて推移プロファイルを選択するステップ6と、選択された推移プロファイルと潜在的な混合間隔とから混合パラメータを決定するステップ7とを有してもよい。
【手続補正３５】
【補正対象書類名】明細書
【補正対象項目名】００３８
【補正方法】変更
【補正の内容】
【００３８】
代替として又は更に、ステップ3は、潜在的な混合間隔での検出された音の同時発生に応じて潜在的な混合間隔と更なる混合間隔とのうち１つを選択するステップ8と、選択された混合間隔から混合パラメータを決定するステップ9とを有してもよい。
【手続補正３６】
【補正対象書類名】明細書
【補正対象項目名】００３９
【補正方法】変更
【補正の内容】
【００３９】
図１の方法は、決定された混合パラメータを使用して、第１のコンテンツアイテムと第２のコンテンツアイテムとを混合するステップ5を更に有してもよい。
【手続補正３７】
【補正対象書類名】明細書
【補正対象項目名】００４０
【補正方法】変更
【補正の内容】
【００４０】
第１のコンテンツアイテムと第２のコンテンツアイテムとを混合する方法は、少なくとも２つのステップを有する（図２参照）。ステップ11は、第１のコンテンツアイテムと第２のコンテンツアイテムとの間の混合間隔をデータベースから取得することを有する。混合間隔は、第１のコンテンツアイテムと第２のコンテンツアイテムとを混合するときに音の衝突を回避し、第１のコンテンツアイテムの第１の位置と第２のコンテンツアイテムの第２の位置とを有する。ステップ15は、混合間隔で第１のコンテンツアイテムと第２のコンテンツアイテムとを混合することを有する。
【手続補正３８】
【補正対象書類名】明細書
【補正対象項目名】００４１
【補正方法】変更
【補正の内容】
【００４１】
混合方法は、混合間隔に関連する推移プロファイルを取得するステップ13を更に有してもよい。
【手続補正３９】
【補正対象書類名】明細書
【補正対象項目名】００４２
【補正方法】変更
【補正の内容】
【００４２】
ステップ11は、第１のコンテンツアイテムと複数の更なるコンテンツアイテムのうち１つとの間にそれぞれある複数の混合間隔を取得するステップ17と、複数の更なるコンテンツアイテムのうち１つを第２のコンテンツアイテムとして選択するステップ19とを更に有してもよい。
【手続補正４０】
【補正対象書類名】明細書
【補正対象項目名】００４３
【補正方法】変更
【補正の内容】
【００４３】
ステップ19は、第１のコンテンツアイテムの現在位置と各混合間隔の第１の位置との間の類似点に応じて、複数の更なるコンテンツアイテムのうち１つを第２のコンテンツアイテムとして選択することを有してもよい。
【手続補正４１】
【補正対象書類名】明細書
【補正対象項目名】００４５
【補正方法】変更
【補正の内容】
【００４５】
例えば、記憶手段35は、ハードディスク、固体メモリ、光ディスクリーダ又はホログラフィック記憶手段を有してもよい。記憶手段35はデータベースを有してもよく、データベースは複数の関連付けを有し、複数の関連付けのそれぞれは、第１のコンテンツアイテムと第２のコンテンツアイテムとの間の混合間隔を有し、混合間隔は、第１のコンテンツアイテムの第１の位置と第２のコンテンツアイテムの第２の位置とを有する。代替として、このデータベースは、電子装置の外部に（例えば（異なる）サーバに）格納されてもよい。再生手段37は、例えばスピーカを有してもよい。
【手続補正４２】
【補正対象書類名】明細書
【補正対象項目名】００４７
【補正方法】変更
【補正の内容】
【００４７】
図４は、第１のコンテンツアイテムX1と第２のコンテンツアイテムX2と（例えば、２つの曲又は音楽ビデオクリップ）を混合するときに音の衝突を回避する方法の実施例を示している。コンテンツアイテムX1は、スプリッタ51において、ミキサ65用の信号と、音検出器55用の信号とに分離される。コンテンツアイテムX2は、スプリッタ53において、ミキサ65用の信号と、音検出器57用の信号とに分離される。コンテンツアイテムX1及びX2の潜在的な混合間隔での音成分の存在は、音検出器55及び57で決定される。音の衝突の存在は、衝突検出器59で決定される。音が双方の音検出器で検出されたときに、音の衝突が発生すると考えられる。音の衝突が発生したときに、混合パラメータAがセレクタ61で選択される。音の衝突が発生しない場合、混合パラメータBがセレクタ63で選択される。選択されたパラメータは、コンテンツアイテムX1及びX2を混合するためにミキサ65で使用される。例えば、混合パラメータAは、短いフェードイン／フェードアウトを有する推移プロファイルでもよい。例えば、混合パラメータBは、通常のフェードイン／フェードアウトを有する推移プロファイルでもよい。他の例として、セレクタ61は、混合パラメータとして潜在的な混合間隔を選択してもよく、セレクタ63は、混合パラメータとして更なる混合間隔を選択してもよい。後者の場合、セレクタ63は、更なる混合間隔が検索されること（混合が格納されたコンテンツで実行される場合）又は待機されること（混合がリアルタイムに実行される場合）を単に示してもよい。双方の手法が組み合わされてもよい。すなわち、音の衝突のない更なる混合間隔が見つからない場合、短いフェードイン／フェードアウトが選択されてもよい。そうでない場合、通常のフェードイン／フェードアウトが選択されてもよい。フェードイン及びフェードアウトの代わりに又はこれに加えて、他の混合方法が使用されてもよい（例えば、ビート混合（beat-mixing））。
【手続補正４３】
【補正対象書類名】明細書
【補正対象項目名】００５０
【補正方法】変更
【補正の内容】
【００５０】
【図１】第１のコンテンツアイテムと第２のコンテンツアイテムとを混合するときに音の衝突を回避する方法のフローチャート
【図２】混合方法のフローチャート
【図３】本発明の方法を実行する電子装置のブロック図
【図４】第１のコンテンツアイテムと第２のコンテンツアイテムとを混合するときに音の衝突を回避する方法の実施例のフローチャート
【国際調査報告】
2009521008.tif 000007
2009521008.tif 000008
2009521008.tif 000009
2009521008.tif 000010
2009521008.tif 000011